(57)【要約】      （修正有）【課題】折り畳み型着用エプロン構造を提供する。【解決手段】折り畳み型着用エプロン構造は、互いに重ね合わされ、かつ、折り畳みプレート２の一方の表面に位置する複数の着用エプロン３を備える。該複数の着用エプロン３が、該折り畳みプレート２の少なくとも１つの第１の折れ線によって折り曲げられ、該複数の着用エプロン３の少なくとも１つの末端が、該折り畳みプレート２を迂回して該折り畳みプレート２のもう一方の表面に延伸することにより、該複数の着用エプロン３を折り畳んだ後にケースユニット１に収容する。該複数の着用エプロン３は、該折り畳みプレート２と該ケースユニット１の開口１３との間に位置して折り畳み状態となる。このため、ユーザが、該ケースユニット１の開口１３から、該開口１３に露出する着用エプロン３を抽出できる。【選択図】図１
0003222961.tif 000002
【実用新案登録請求の範囲】
【請求項１】
互いに重ね合わされ、かつ、折り畳みプレートの一方の表面に位置する複数の着用エプロンを備え、
該複数の着用エプロンが、該折り畳みプレートの少なくとも１つの第１の折れ線によって折り曲げられ、該複数の着用エプロンの少なくとも１つの末端が、該折り畳みプレートを迂回して該折り畳みプレートのもう一方の表面に延伸することにより、該複数の着用エプロンを折り畳んだ後にケースユニットに収容し、
該複数の着用エプロンが、該折り畳みプレートと該ケースユニットの開口との間に位置する、
折り畳み型着用エプロン構造。
【請求項２】
該少なくとも１つの第１の折れ線は、開口部から離れている、
請求項１に記載の折り畳み型着用エプロン構造。
【請求項３】
該折り畳みプレートは、少なくとも１つの第２の折れ線をさらに有し、
該第２の折れ線のいずれかは、隣接する２つの該第１の折れ線の間に位置し、
該複数の着用エプロンは、該少なくとも１つの第１の折れ線に対応して凹部が形成され、該少なくとも１つの第２の折れ線に対応して凸部が形成されている、
請求項１に記載の折り畳み型着用エプロン構造。
【請求項４】
該少なくとも１つの第１の折れ線は、谷線であり、
該少なくとも１つの第２の折れ線は、尾根線である、
請求項３に記載の折り畳み型着用エプロン構造。
【請求項５】
該折り畳みプレートは、複数の第１の折れ線と複数の第２の折れ線とを有する、
請求項４に記載の折り畳み型着用エプロン構造。
【請求項６】
該折り畳みプレートは、ジグザグ状構造または波状構造に形成されている、
請求項５に記載の折り畳み型着用エプロン構造。
【請求項７】
該複数の着用エプロンは、使い捨て型エプロンである、
請求項１に記載の折り畳み型着用エプロン構造。
【請求項８】
該複数の着用エプロンは、それぞれ、上部中央に位置する着用口と、上部両側に位置する２つの紐とを備える、
請求項７に記載の折り畳み型着用エプロン構造。
【請求項９】
該ケースユニットは、本体と、該本体に形成された収容空間とをさらに備え、
該開口は、該本体の一方の側に設けられ、該収容空間と連通する、
請求項１に記載の折り畳み型着用エプロン構造。
【請求項１０】
該ケースユニットは、該本体に接続され、かつ、該開口を被覆するカバーをさらに備える、
請求項９に記載の折り畳み型着用エプロン構造。
【考案の詳細な説明】
【技術分野】
【０００１】
本考案は、折り畳み型着用エプロン構造に関し、特に、製造や使用が容易な折り畳み型着用エプロン構造に関するものである。
【背景技術】
【０００２】
医療作業では、医療従事者は感染を避けるために保護具を着用する必要があり、便宜上、作業の後にすぐ破棄できるように、例えば、手袋、マスクや隔離ガウン等の使い捨て型着用エプロンを使用するのが一般的であり、これにより、着用エプロンの洗浄や消毒の手間を省けることができ、さらに、洗浄や消毒の不注意による感染のリスクを避けることができる。
【０００３】
医療従事者がいつでも使い捨て型着用エプロンを取れるように、隔離ガウンを例にとると、市販品では、複数の隔離ガウンがそれぞれ折り畳まれた後、パッケージとして医療従事者に提供され、使用時は、パッケージの開口部から、折り畳まれた隔離ガウンを逐一に取り出して、折り畳まれた隔離ガウンを展開するだけで、ユーザが着用できるようになる。
【考案の概要】
【考案が解決しようとする課題】
【０００４】
しかしながら、既存の使い捨て型着用エプロンの製造と使用勝手は、便利とは言えない。従来、隔離ガウンは製造が完了した後、一枚ずつ折り畳む必要があるだけでなく、一枚ずつ積み重ねてスタックにして初めてパッケージングできるため、その製造工程が複雑であり、生産効率が悪い。また、隔離ガウンは、一枚ずつ折り畳まれたため、それを取り出した後、折り畳まれた隔離ガウンを手間掛けて展開して初めて使用することができ、使用上の不便になり、緊急事態の場合では、医療作業を遅らさせてしまうおそれがある。また、使い捨て型隔離ガウンが非常に薄く、折り畳まれた後でも同様に薄いため、ユーザがそれを抽出する場合は、一度に複数着が抽出されてしまうことが多く、余分に抽出された隔離ガウンが勝手に放置や廃棄されると、無駄になるおそれがある。
【０００５】
上記の課題に鑑み、如何にして、折り畳まれた着用エプロンを収容する装置であって、特に、その内部における着用エプロンの折り畳み方式によってユーザが必要に応じて素早く利用でき、かつ、製造時に生産しやすい装置を提供できるかが、現在において当業者が追い求める課題となっている。
【課題を解決するための手段】
【０００６】
上記の既存の技術課題を解決するために、本考案は、互いに重ね合わされ、かつ、折り畳みプレートの一方の表面に位置する複数の着用エプロンを備え、該複数の着用エプロンが、該折り畳みプレートの少なくとも１つの第１の折れ線によって折り曲げられ、該複数の着用エプロンの少なくとも１つの末端が、該折り畳みプレートを迂回して該折り畳みプレートのもう一方の表面に延伸することにより、該複数の着用エプロンを折り畳んだ後にケースユニットに収容し、該複数の着用エプロンが、該折り畳みプレートと該ケースユニットの開口との間に位置する、折り畳み型着用エプロン構造を提供する。
【０００７】
１つの実施形態において、該少なくとも１つの第１の折れ線は、開口部から離れている。
【０００８】
もう一つの実施形態において、該折り畳みプレートは、少なくとも１つの第２の折れ線をさらに有する。該第２の折れ線のいずれかが、隣接する２つの該第１の折れ線の間に位置することにより、該複数の着用エプロンは、該少なくとも１つの第１の折れ線に対応して凹部が形成され、該少なくとも１つの第２の折れ線に対応して凹部が形成されている。一つの実施形態において、該少なくとも１つの第１の折れ線は谷線であり、該少なくとも１つの第２の折れ線は尾根線である。
【０００９】
もう一つの実施形態において、該折り畳みプレートは、複数の第１の折れ線と複数の第２の折れ線とを有する。
【００１０】
もう一つの実施形態において、該折り畳みプレートは、ジグザグ状構造または波状構造に形成されている。
【００１１】
さらにもう一つの実施形態において、該複数の着用エプロンは、使い捨て型エプロンであり、また、該複数の着用エプロンは、それぞれ、上部中央に位置する着用口と、上部両側に位置する結び用の２つの紐とを備える。
【００１２】
また、該ケースユニットは、本体と、該本体内に形成された収容空間とをさらに備える。該開口は、該本体の一方の側に設けられ、該収容空間と連通する。該ケースユニットは、該本体に接続され、かつ、該開口を被覆するカバーをさらに備える。
【考案の効果】
【００１３】
上記のように、本考案に係る折り畳み型着用エプロン構造によれば、複数の着用エプロンは、特殊な折り畳み方式によってケースユニット内に収容されるため、ユーザが、該ケースユニットの開口から、着用エプロンに形成された凸部をつまむだけで、最外層の着用エプロンを容易に抽出でき、また、抽出された着用エプロンはほぼ全開になるため、従来の折り畳み型着用エプロンの展開に必要な時間を低減できる。さらに、本考案に係る折り畳み型着用エプロン構造は、製造プロセスがより簡単化になるため、折り畳みプレートと複数の着用エプロンとを併せて圧合してケースユニット内に収容でき、生産効率の向上という目的を達成できる。
【図面の簡単な説明】
【００１４】
本考案の実施形態について、例示的な図面を参照しながら説明する。
【図１】本考案に係る折り畳み型着用エプロン構造とケースユニットの第１の実施例の組成を模式的に示す図である。
【図２】本考案に係る折り畳み型着用エプロン構造の第１の実施例の側面図である。
【図３】本考案に係る折り畳み型着用エプロン構造の第１の実施例の折り畳みプレートと複数の着用エプロンの立体分解図である。
【図４】本考案に係る折り畳み型着用エプロン構造の使用状態を模式的に示す図である。
【図５】本考案に係る折り畳み型着用エプロン構造とケースユニットの第２の実施例の組成を模式的に示す図である。
【図６】本考案に係る折り畳み型着用エプロン構造の第２の実施例の側面図である。
【図７】本考案に係る折り畳み型着用エプロン構造の第２の実施例の折り畳みプレートと複数の着用エプロンの立体分解図である。
【図８ａ】本考案に係る折り畳み型着用エプロン構造において、着用エプロンが二回折り畳まれた構造図である。
【図８ｂ】本考案に係る折り畳み型着用エプロン構造において、着用エプロンが一回折り畳まれた構造図である。
【図９】本考案に係る折り畳み型着用エプロン構造において、折り畳みを形成する折り畳みプレートと複数の着用エプロンの初期構造図である。
【図１０】本考案に係る折り畳み型着用エプロン構造において、折り畳みを形成する折り畳みプレートと着用エプロンの完成構造図である。
【考案を実施するための形態】
【００１５】
以下、具体的な実施例により本考案の実施形態を説明する。この技術分野に精通した者は、本明細書の記載内容から簡単に本考案のその他の利点や効果を理解できる。
【００１６】
また、本考案の明細書に添付された図面に示す構造、比例、寸法等は、いずれも、この技術分野に精通した者が理解できるように明細書に記載の内容に合わせて説明されるものであり、本考案の実施可能な条件を限定するものではないため、技術上の実質的な意味を有しない。いかなる構造の修飾、比例関係の変更又は寸法の調整は、本考案の効果及び目的に影響を与えるものでなければ、本考案に開示された技術内容の範囲に入る。また、本考案の明細書に記載されている「上」、「第１の」、「第２の」、「一つの」等の用語は、説明が容易に理解できるようにするためのものであり、本考案の実施可能な範囲を限定するものではなく、その相対関係の変更又は調整は、技術内容の実質的変更がなければ、本考案の実施可能な範囲とも見なされる。
【００１７】
図１〜３は、本考案に係る折り畳み型着用エプロン構造の第１の実施例の構造模式図である。図１は、本考案に係る折り畳み型着用エプロン構造とケースユニットの組成模式図であり、図２は、該第１の実施例の側面図であり、図３は、該第１の実施例の折り畳みプレートと複数の着用エプロンの立体分解図である。図に示すように、本考案に係る折り畳み型着用エプロン構造は、複数の着用エプロン３を備え、該複数の着用エプロン３は、折り畳みプレート２と組み合わせることよりケースユニット１に収容される。
【００１８】
該複数の着用エプロン３は、互いに重ね合わされ、かつ、該折り畳みプレート２の一方の表面に位置する。該複数の着用エプロン３が、その折り畳みプレート２の少なくとも１つの第１の折れ線２１によって折り曲げられ、該複数の着用エプロン３の少なくとも１つの末端が、該折り畳みプレート２を迂回して該折り畳みプレート２のもう一方の表面に延伸することにより、該複数の着用エプロン３を折り畳んだ後に該ケースユニット１に収容する。該複数の着用エプロン３は、該折り畳みプレート２と該ケースユニット１の開口１３との間に位置する。即ち、該ケースユニット１は、折り畳みプレート２と、該折り畳みプレート２に対応して折り畳み状態となる複数の着用エプロン３とを収容する。
【００１９】
該ケースユニット１は、本体１１と、本体１１に形成された収容空間１２と、本体１１の一方の側に設けられ、かつ、該収容空間１２に連通する開口１３とを備える。図に示すように、開口１３は、本体１１の上表面から、隣接する一方の側の表面に延在し、また、開口は、カバー１３１を有する。他の実施形態において、開口１３は、本体１１のいずれかの表面に設けられてもよい。言い換えれば、開口１３は、必要に応じて設計することができ、図に示すものは単に１つの実施形態に過ぎない。
【００２０】
該折り畳みプレート２は、少なくとも１つの第１の折れ線２１を有することにより、該少なくとも１つの第１の折れ線２１によって半分折りの状態となり、該収容空間１２への収容が可能となる。さらに、該少なくとも１つの第１の折れ線２１は、該開口１３から離れることにより、谷線に形成されている。言い換えれば、該折り畳みプレート２の該少なくとも１つの第１の折れ線２１は、該開口１３から離れている。
【００２１】
該複数の着用エプロン３は、順次に一体として積層されることにより、複数の着用エプロン３の構成要素となる。例えば、５０着または１００着の着用エプロンが積層されてなる複数の着用エプロン３は、該第１の折れ線２１によって該折り畳みプレート２の表面２２に位置する。即ち、積層後の複数の着用エプロン３の中心位置を該第１の折れ線２１に対応することにより、該複数の着用エプロン３を該折り畳みプレート２の表面２２に載置できる。このように、該複数の着用エプロン３は、該折り畳みプレート２の折り畳みに挟まれることによって折り畳まれた状態となる。該複数の着用エプロン３は、該ケースユニット１に収容された場合、該折り畳みプレート２と該開口１３との間の収容空間１２に介在している。折り畳まれた複数の着用エプロン３は幅Ｗを有し、ケースユニット１は長さＬを有し、幅Ｗを長さＬと同一またはそれよりも小さくすることにより、着用エプロンをケースユニット１の収容空間１２に収容できる。一つの実施形態において、該複数の着用エプロン３は、第１の折れ線２１に対応して凹部３２が形成され、また、該複数の着用エプロン３の少なくとも１つの末端が上方または下方へ該折り畳みプレート２を迂回して該折り畳みプレート２のもう一方の表面に延伸する。また、該複数の着用エプロン３は、折り畳みプレート２を迂回する箇所に、凸部３１が形成されている。該凸部３１は、該開口１３に対向しており、該開口１３によって該凸部３１を露出させる。
【００２２】
さらに、図２および図４に示すように、図４は、本考案に係る第１の実施例の使用状態の模式図である。ユーザが着用エプロン３を使用しようとする場合、ユーザが、開口１３のカバー１３１を開け、積層された複数の着用エプロン３の凸部３１を露出させ、さらに、凸部３１の最外層の一着の着用エプロン３を摘んで抽出する。着用エプロン３は、折り畳みプレート２に挟まれることによって図２に示す波状折畳み構造に形成されているため、ユーザが着用エプロン３を抽出した後、該抽出された着用エプロン３はほぼ展開状態になるので、ユーザが着用エプロン３を展開する時間を節約できる。特に、従来の着用エプロンは、衣服のように一着ずつ折り畳まれているものの、本考案に係る折り畳み型着用エプロン構造は、展開時間の低減を可能となる。
【００２３】
次に、該複数の着用エプロン３は、該折り畳みプレート２の折り畳みによって、露出する凸部３１が形成されているため、ユーザが指でつかんで取ることに有利であり、一回につき一着抽出することが容易となり、従来の折り畳み方式のように一度に複数着が抽出されることを回避できる。また、本考案に係る折り畳み型着用エプロン構造は、予め形成された複数の第１の折れ線２１を有する折り畳みプレート２に該複数の着用エプロン３を放置するだけで、折り畳みプレート２により該複数の着用エプロン３を折り畳む効果を生じさせることができる。このように、該複数の着用エプロン３の折り畳みやケースユニット１内への収容が容易となり、一着ずつ折り畳んで収容する工程を削減でき、時間の節約が可能となる。
【００２４】
図５〜７は、本考案の第２の実施例を示す。図５は、本考案に係る折り畳み型着用エプロン構造とケースユニットの組成模式図である。図６は、本考案に係る第２の実施例の側面図である。図７は、本考案に係る第２の実施例の折り畳みプレートと複数の着用エプロンの立体分解図である。それらの図に示すように、第２の実施例は、折り畳みプレート２が少なくとも１つの第１の折れ線２１と該少なくとも１つの第１の折れ線２１に対応する少なくとも１つの第２の折れ線２３とを有する点で、第１の実施例と異なっている。
【００２５】
第２の折れ線２３のいずれかが、隣接した２つの該第１の折れ線２１の間に位置することにより、該複数の着用エプロン３は、該第１の折れ線２１に対応して凹部３２が形成され、該第２の折れ線２３に対応して凸部３１が形成されている。好ましくは、該折り畳みプレート２が複数の第１の折れ線２１と複数の第２の折れ線２３とを有することにより、それぞれの該第１の折れ線２１が谷線となり、それぞれの該第２の折れ線２３が尾根線となる。このため、該折り畳みプレート２は、ジグザグ状構造または波状構造を示すことになる。
【００２６】
実施する場合、まず、該折り畳みプレート２に、複数の第１の折れ線２１を予め折って谷線を形成し、複数の第２の折れ線２３を予め折って尾根線を形成する。該第１の折れ線２１と該第２の折れ線２３とが平行かつ間隔を置いて設けられているため、該折り畳みプレート２がジグザグ状または波状構造を示すことになる。次に、積層された複数の着用エプロン３を折り畳みプレート２の表面２２に載置し、該表面２２に概ね揃えることにより、折り畳みプレート２にある折れ線で、該複数の着用エプロン３を折り曲ることができ、最後、ケースユニット１の収容空間１２に収容する。同様に、該ケースユニット１の開口１３に少なくとも１つの凸部３１を露出させるため、ユーザは容易に抽出できる。さらに、該折り畳みプレート２の両側が自由端となり、該複数の着用エプロン３は該２つの自由端に対応して該折り畳みプレート２のもう一方の表面に延伸するため、図６に示す状態となる。即ち、該折り畳みプレート２は、折り畳まれた複数の着用エプロン３にほとんど埋め込まれている。
【００２７】
図８ａ〜８ｂは、それぞれ、本考案に係る折り畳み型着用エプロン構造において、二回および一回折り畳まれた構造図である。図８ａに示すように、製造時は、半分折れ線３６が予め形成された（一回目の折畳みがすでに施された）ロールの生地（例えば、プラスチック布または不織布等）を用意し、この際はエプロンの展開の幅が決められている。生地に対して二回目の折り畳みを行い、折り畳まれた生地の幅を収容するケースユニットの長さと同一またはそれよりも小さくする。生地の折り畳み方法は、図に示すように、図における右の一部を折り返して折り返し線３７を形成し、所定の長さおよび必要の着数にカットし、折り畳まれた複数の着用エプロン３をスタックとして積層し、プレス法により、それらの着用エプロン３の上部において半分折れ線３６の近傍に略半円形の着用口３３を形成し、それらの着用エプロン３の上部において折り返し線３７の近傍に切り欠け３４を形成し、さらに、着用エプロン３の上部両側に位置する二枚の紐３５を形成する。二回折り畳まれた着用エプロン３は、ケースユニットの長さＬと同一またはそれよりも小さい幅Ｗを有する（図１参照）。これにより、ユーザが半分折り畳まれた着用エプロン３を展開した後、着用エプロン３の上部中央には着用口３３を有し、両側には紐３５を有するので、ユーザの頭部を着用口３３に通し、紐３５を交差して腰部にて結ぶことにより、着用できる。
【００２８】
使用時は、図８ａに示すように、折り畳みプレートによって着用エプロン３が折り曲げられた箇所は、抽出後では開放状態となる。次に、折り返し線３７の折り返しを開ける（復元する）と、図８ｂに示す状態となる。ユーザは、半分折れ線３６の折り畳みをさらに展開し、半分折り畳まれた着用エプロン３を両側面へ展開するだけで、ユーザが着用できるようになる。このように、ユーザが医療作業の前に保護用の着用エプロン（例えば、図に示す使い捨て型エプロン）を素早く取得して着用でき、保護や隔離の効果を奏することができる。
【００２９】
図９〜１０に示すように、図９は、本考案において折り畳みを形成する折り畳みプレートと複数の着用エプロンの初期構造図であり、図１０は、本考案において折り畳みを形成する折り畳みプレートと複数の着用エプロンの完成構造図である。図９に示すように、本考案は、折り畳みプレート２に対して、第１の折れ線２１を予め折って谷線を形成し、第２の折れ線２３を予め折って尾根線を形成し、さらに、予め折られた折り畳みプレート２を機台４０に載置し、次に、順次に積層されプレス成形された複数の着用エプロン３を、予め折られた折り畳みプレート２の上表面に載置する。その後、図１０に示すように、機台４０は、予め折られた折り畳みプレート２の両端に対して相応の力を印加する。折り畳みプレート２には第１の折れ線２１および第２の折れ線２３が予め折られているため、該折り畳みプレート２は、力が印加されると、第１の折れ線２１および第２の折れ線２３に応じて折り畳まれるとともに、該複数の着用エプロン３を挟むことになる。最終的には、該折り畳みプレート２と該複数の着用エプロン３とは一体的に折り畳み構造に形成される。そして、機台４０が前記折り畳み構造をケースユニット１の収容空間１２に押し込むことにより、着用エプロン３の全体パッケージングは完成する。前記の実施形態のプロセスからわかるように、本考案に係る折り畳み型着用エプロン構造は、着用エプロンを一枚ずつ折り畳むことなく、複数の着用エプロン３と折り畳みプレート２とを同時に収容空間１２内に収容できる。それぞれの着用エプロン３が積層されているが、毎回での抽出では、該折り畳みプレート２から最も離れている一着の着用エプロン３であるため、残りの着用エプロン３によって影響を受けることはない。また、着用エプロン３が波状またはジグザグ状に折り畳まれているため、抽出後に再度展開する必要もなく、使用上では非常に便利である。
【００３０】
上記のように、本考案に係る折り畳み型着用エプロン構造によれば、ユーザが着用エプロン３を使用しようとする場合、ケースユニット１の開口１３から最外層の着用エプロン３の凸部３１を抽出するだけで、最外層の着用エプロン３を容易に抽出できる。また、抽出された着用エプロン３はほぼ全開になるため、ユーザが折り畳まれた着用エプロン３を展開する時間を節約できる。さらに、製造プロセスにおいて、本考案に係る折り畳み型着用エプロン構造は、主に折り畳みプレート２で複数の着用エプロン３を折り曲げるため、製造設備がさらに簡単化され、従来のように着用エプロン３を手動で折り畳む必要がないので、生産効率の向上に有利である。
【００３１】
上記の実施形態は例示的に説明するに過ぎず、本考案はこれらによって限定されるものではない。本考案は、本考案の主旨を逸脱しない範囲で、この技術分野に精通した者により上記実施例を種々に修正や変更することが可能である。したがって、本考案の権利の保護の範囲は、添付の実用新案登録請求の範囲によって定義されるものであり、本考案の効果や実施目的に影響を与えるものでなければ、本考案の実用新案登録請求の範囲に入るものとされる。
【符号の説明】
【００３２】
１  ケースユニット
１１  本体
１２  収容空間
１３  開口
１３１  カバー
２  折り畳みプレート
２１  第１の折れ線
２２  表面
２３  第２の折れ線
３  着用エプロン
３１  凸部
３２  凹部
３３  着用口
３４  切り欠け
３５  紐
３６  半分折れ線
３７  折り返し線
４０  機台
Ｌ  長さ
Ｗ  幅
【図１】
0003222961.tif 000003
【図２】
0003222961.tif 000004
【図３】
0003222961.tif 000005
【図４】
0003222961.tif 000006
【図５】
0003222961.tif 000007
【図６】
0003222961.tif 000008
【図７】
0003222961.tif 000009
【図８ａ】
0003222961.tif 000010
【図８ｂ】
0003222961.tif 000011
【図９】
0003222961.tif 000012
【図１０】
0003222961.tif 000013